(57)【要約】      （修正有）【課題】組立工数を過大にすることなく、高レベルの防水性能を容易に実現する屋外用の照明器具を提供する。【解決手段】ＬＥＤ素子を搭載する複数の基板１１、１１…を透光性の樹脂材料１２に埋め込む発光体１０と、発光体１０用の収納部２１を有するアルミニウムの押出形材の保持材２０と、収納部２１に適合する蓋材３０とを組み合わせる。保持材２０の上端には、取付脚部２５ａ付きの樹脂製のキャップ２５が着脱自在に装着される。【選択図】図１
0003190788.tif 000002
【実用新案登録請求の範囲】
【請求項１】
ＬＥＤ素子を搭載する複数の基板をフレキシブルな透光性の樹脂材料に直線状に埋め込んで形成する防水形の発光体と、外部に開口する前記発光体用の収納部を有するアルミニウムの押出形材の保持材と、前記収納部に適合する蓋材とを備えてなり、前記発光体は、一端から給電することにより発光可能であり、前記蓋材は、前記発光体からの光を外部に透過することを特徴とする屋外用の照明器具。
【請求項２】
前記保持材は、自立可能な角柱状に形成することを特徴とする請求項１記載の屋外用の照明器具。
【請求項３】
前記保持材は、自立可能な円柱状に形成することを特徴とする請求項１記載の屋外用の照明器具。
【請求項４】
前記保持材は、建材の平坦面に装着可能に形成することを特徴とする請求項１記載の屋外用の照明器具。
【請求項５】
前記蓋材は、投光用の開口窓を形成するアルミニウムの押出形材の蓋本体の内側に透光性の硬質樹脂板を積層して形成することを特徴とする請求項１ないし請求項４のいずれか記載の屋外用の照明器具。
【請求項６】
前記蓋材は、透光性の硬質樹脂材料により一体成形することを特徴とする請求項１ないし請求項４のいずれか記載の屋外用の照明器具。
【考案の詳細な説明】
【技術分野】
【０００１】
この考案は、たとえば建築物の外構用などとして好適に使用可能な屋外用の照明器具に関する。
【背景技術】
【０００２】
アルミニウムの押出形材などの建材に対し、ＬＥＤ（発光ダイオード）素子を使用する発光手段を一体に組み込んで形成する照明器具が提案されている（たとえば特許文献１）。
【０００３】
従来の照明器具は、たとえば断面が偏平な略Ｃ字状の形材に対し、ＬＥＤ素子を搭載する基板を発光手段として収納するとともに、基板の上面側に透光性のコーティング材を充填することにより、全体として防水形に仕上げられている。なお、基板は、形材の両側にねじ止めする左右一対の形材押縁や、左右一対の弾性材のナイロンテグスを介して形材の底面側に押し付けるように付勢されている。
【先行技術文献】
【特許文献】
【０００４】
【特許文献１】特開２０１３−１０５６１１号公報
【考案の概要】
【考案が解決しようとする課題】
【０００５】
かかる従来技術によるときは、ＬＥＤ素子を搭載する基板は、左右一対の形材押縁またはナイロンテグスを介して付勢し、上面側にコーティング材を充填して防水処理するのであるから、全体としての組立工数が過大になりがちである上、コーティング材による防水処理が現場施工の最終工程であり、防水性能を十分高レベルに維持管理することが必ずしも容易でないという問題があった。
【０００６】
そこで、この考案の目的は、かかる従来技術の問題に鑑み、防水形の発光体をアルミニウムの押出形材の保持材に収納することによって、組立工数を適切に抑制するとともに、高レベルの防水性能を容易に実現することができる屋外用の照明器具を提供することにある。
【課題を解決するための手段】
【０００７】
かかる目的を達成するためのこの考案の構成は、ＬＥＤ素子を搭載する複数の基板をフレキシブルな透光性の樹脂材料に直線状に埋め込んで形成する防水形の発光体と、外部に開口する発光体用の収納部を有するアルミニウムの押出形材の保持材と、収納部に適合する蓋材とを備えてなり、発光体は、一端から給電することにより発光可能であり、蓋材は、発光体からの光を外部に透過することをその要旨とする。
【０００８】
なお、保持材は、自立可能な角柱状に形成することができ、自立可能な円柱状に形成することができ、建材の平坦面に装着可能に形成することができる。
【０００９】
また、蓋材は、投光用の開口窓を形成するアルミニウムの押出形材の蓋本体の内側に透光性の硬質樹脂板を積層して形成してもよく、透光性の硬質樹脂材料により一体成形してもよい。
【考案の効果】
【００１０】
かかる考案の構成によるときは、防水形の発光体は、ＬＥＤ素子を搭載する複数の基板をフレキシブルな透光性の樹脂材料に直線状に埋め込んで形成されている。そこで、発光体は、それ自体の防水性能を容易に高レベルに維持管理することができ、防水不良の発光体が不用意に保持材に組み込まれてしまうおそれを十分小さくすることができる上、組立工数が過大になることもない。なお、発光体に使用する樹脂材料としては、防水性、絶縁性、透光性、可撓性などの点から、たとえばシリコーン樹脂が好適である。また、蓋材は、内部の発光体が防水形であるため、収納部を必ずしも水密に閉鎖する必要がない。ただし、発光体は、たとえばＤＣ１２Ｖの低圧電圧を一端から給電することにより、内部のＬＥＤ素子を一斉に発光させ得るものとする。
【００１１】
保持材は、自立可能な角柱状または円柱状に形成することにより、自立形として地上に立設して設置してもよく、たとえばフェンス、目隠し、塀、門柱、門壁、外壁などの外構用の構築物に対し、照明機能付きの支柱などの構築材料として組み込んでもよい。また、建材の平坦面に装着可能な保持材は、たとえばカーポートや物置、テラス、ベランダなどの柱材や無目、破風、桁材などに固定して夜間照明用に使用することができる。
【００１２】
投光用の開口窓を有するアルミニウムの押出形材の蓋本体の内側に透光性の硬質樹脂板を積層する蓋材は、発光体からの光を利用して開口窓の部分だけを光らせることができ、開口窓の形状、大きさ、個数、配置などを工夫することにより、個有の興趣ある外観を任意にデザインすることができる。一方、透光性の硬質樹脂材料の蓋材は、発光体からの光を全面に亘って透過させ、全体的に明るく光らせることができる。なお、透光性の硬質樹脂板や硬質樹脂材料の蓋材は、発光体からの光を均一に拡散させて外部に透過させることが好ましく、たとえば全体を乳白色などの単色に仕上げてもよく、部分的に色を違えて形成してもよい。
【図面の簡単な説明】
【００１３】
【図１】一部破断模式分解斜視図
【図２】一部破断模式斜視図
【図３】発光体の模式説明図
【図４】要部拡大横断面説明図
【図５】他の実施の形態を示す模式斜視図
【図６】図５の要部拡大横断面図
【図７】蓋本体の斜視説明図
【図８】使用状態説明斜視図（１）
【図９】使用状態説明斜視図（２）
【図１０】図８の要部拡大横断面相当図
【図１１】他の実施の形態を示す模式説明図
【図１２】他の実施の形態を示す図２相当図
【図１３】図１２の要部拡大横断面図
【図１４】図１２の使用状態説明図
【考案を実施するための形態】
【００１４】
以下、図面を以って考案の実施の形態を説明する。
【００１５】
屋外用の照明器具は、防水形の発光体１０と、発光体１０用の収納部２１を有する保持材２０と、収納部２１に適合する蓋材３０とを備えてなる（図１、図２）。
【００１６】
発光体１０は、基板１１、１１…を樹脂材料１２に直線状に埋め込んで形成されている（図１、図３）。ただし、図３（Ａ）、（Ｂ）は、それぞれ基板１１の接続図、発光体１０の要部拡大平面図である。
【００１７】
各基板１１には、ＬＥＤ素子Ｄ、制限抵抗Ｒの直列回路が搭載されており、直列回路のＬＥＤ素子Ｄ側、制限抵抗Ｒ側は、それぞれ端子Ｔ1 、Ｔ1 、端子Ｔ2 、Ｔ2 として基板１１の外部に引き出されている。そこで、基板１１、１１…は、樹脂材料１２内において、端子Ｔ1 、Ｔ1 、Ｔ2 、Ｔ2 と、２心の接続電線１３、１３…とを介して順次縦続接続されている。なお、樹脂材料１２は、フレキシブルで透光性を有し、透明であることが好ましい。樹脂材料１２は、たとえば断面長方形の紐状に成形されており、発光体１０は、全体として防水形に仕上げられている。発光体１０は、必要に応じて相隣る基板１１、１１の間で切断し、任意の長さにして使用することができる。
【００１８】
発光体１０の一端からは、最初の基板１１の端子Ｔ1 、Ｔ2 に接続する２心ケーブル１３ａが外部に引き出されている。発光体１０内のＬＥＤ素子Ｄ、Ｄ…は、たとえば絶縁トランス内蔵のＡＣ−ＤＣコンバータ形式の電源ユニットにより２心ケーブル１３ａを介して所定のＤＣ電圧を給電して一斉に発光させることができる。ただし、ＬＥＤ素子Ｄ、Ｄ…の給電用電源は、商用電源に限らず、ソーラパネルなどの独立電源であってもよい。なお、各基板１１には、２個以上のＬＥＤ素子Ｄを搭載してもよく、赤青緑に発光する３個のＬＥＤ素子Ｄ、Ｄ…を搭載し、図示しないコントローラを介して外部からそれぞれ個別に給電して調光可能としてもよい。また、発光体１０は、人感センサ、照度センサ、時計式タイマなどを組み合わせて自動的に点消灯制御することも可能である。
【００１９】
保持材２０は、アルミニウムの押出形材により、自立可能な角柱状に形成されている（図１、図４（Ａ））。
【００２０】
保持材２０には、外部に開口する発光体１０用の収納部２１が形成されている。収納部２１の底部には、発光体１０を接着して固定するための肉厚部２１ａが形成され、肉厚部２１ａの左右には、発光体１０の保護用のリブ２１ｂ、２１ｂが立設されている。また、収納部２１の左右の側壁には、それぞれ蓋材３０を装着するための係合部２１ｃが形成されている。保持材２０の内部には、キャップ２５の断面正方形の取付脚部２５ａに適合する支持壁２２、２２…が形成されている。すなわち、保持材２０の上端には、取付脚部２５ａ付きの樹脂製のキャップ２５が着脱自在に装着されている（図１、図４（Ａ）の二点鎖線）。
【００２１】
なお、収納部２１の底部は、肉厚部２１ａの左右にリブ２１ｂ、２１ｂを立設するに代えて、肉厚部２１ａの部分を台形溝状に形成し（図４（Ｂ））、連結壁２１ｄ、２１ｄを介して左右の側壁の係合部２１ｃ、２１ｃの下部に連結してもよい。また、図４（Ａ）、（Ｂ）において、発光体１０は、肉厚部２１ａに対し、図示しない止めねじを介してねじ止めしてもよい。
【００２２】
蓋材３０は、保持材２０の収納部２１に適合するアルミニウムの押出形材の蓋本体３１の内側に透光性の硬質樹脂板３２を積層して形成されている（図１、図４（Ａ）、（Ｂ））。蓋本体３１には、投光用の開口窓３１ａ、３１ａ…が列設して形成されており、蓋本体３１の左右には、収納部２１側の係合部２１ｃ、２１ｃに適合する係合脚３１ｂ、３１ｂが形成されている。そこで、蓋材３０は、蓋本体３１の係合脚３１ｂ、３１ｂを係合部２１ｃ、２１ｃに弾発的に係合させることにより、収納部２１を一平面に塞ぐようにして収納部２１に着脱自在に装着することができる。なお、蓋本体３１の内側の硬質樹脂板３２は、たとえば乳白色に着色されており、透過する光を均一に拡散させることができる。
【００２３】
このような構成の屋外用の照明器具は、外部に露出する保持材２０、蓋本体３１、キャップ２５の各表面を適切に着色することにより、全体として端正な外観に仕上げることができる（図２）。そこで、これを単独で、または２本以上の複数本を適切な間隔で地上に立設し、夜間に内蔵の発光体１０に給電すると、ＬＥＤ素子Ｄ、Ｄ…からの光が透光性の硬質樹脂板３２を通して開口窓３１ａ、３１ａ…から外部に透過され、良好な照明機能を実現することができる。
【他の実施の形態】
【００２４】
保持材２０は、自立可能な円柱状に形成することができる（図５、図６）。
【００２５】
図６において、保持材２０の発光体１０用の収納部２１は、図４（Ｂ）に準じて形成されているが、図４（Ａ）に準じて形成してもよい。また、図５の蓋本体３１の開口窓３１ａ、３１ａ…は、３個ずつのグループに分けて上下に配列して形成されている。なお、保持材２０の上端のキャップ２５は、外形を円形に形成しても、断面正方形の取付脚部２５ａを有するものとする（図６の二点鎖線）。
【００２６】
蓋本体３１に形成する投光用の開口窓３１ａ、３１ａは、円形にしてもよく（図７（Ａ））、正方形としてもよく（同図（Ｃ））、菱形にしてもよい（同図（Ｄ））。また、上下に長いスリット状にしてもよい（同図（Ｂ））。ただし、蓋本体３１に形成する開口窓３１ａの大きさ、形状、個数、配置などのパラメータは、適切なデザイン効果を実現できるように、任意に選択することができる。さらに、蓋本体３１は、開口窓３１ａを設けることなく、透光性の硬質樹脂材料により一体成形してもよい（同図（Ｅ））。ただし、図７（Ｅ）の蓋本体３１は、内側の透光性の硬質樹脂板３２を省略することができ、透光性の蓋本体３１は、全体を単色にしてもよく、部分的に色を違えてもよい。なお、開口窓３１ａ付きの蓋本体３１に組み合わせる透光性の硬質樹脂板３２も、全体を単色にするに代えて、部分的に色を違えてもよい。
【００２７】
屋外用の照明器具は、フェンス部材Ｆと組み合わせることにより、フェンスに組み込む照明機能付きの支柱として使用することができる（図８、図９）。ただし、図８のフェンス部材Ｆは、みす垣仕様の上下２段形式に組み立てられている。また、図９のフェンス部材Ｆは、半透明のポリカーボネート板により、明るさを確保しながら目隠し機能を実現することができる。
【００２８】
各フェンス部材Ｆを支持する保持材２０は、たとえば３面にそれぞれ同形の収納部２１を形成し（図１０）、収納部２１、２１…の１個には、発光体１０を収納して開口窓３１ａ、３１ａ…付きの蓋材３０を装着し、他の１個には、フェンス部材Ｆの端部を連結し、その他の不使用の１個は、開口窓３１ａを形成しないアルミニウムの押出形材の蓋本体３１を装着してブランクとする。なお、フェンス部材Ｆの端部には、ブラケットＦ1 が固定されており、フェンス部材Ｆは、収納部２１の底部にねじ止めするフックＦ2 にブラケットＦ1 を掛けるようにして保持材２０に連結することができる。ただし、ブラケットＦ1 、フックＦ2 は、フェンス部材Ｆの端面の上下方向に少なくとも２組を設けるものとする。
【００２９】
なお、図１０において、各収納部２１を発光体１０の収納用、フェンス部材Ｆの連結用、蓋本体３１を装着するブランク用のいずれに使用するかは、任意に選択可能である。たとえば、図８の左端の支柱は、図１０のとおりの配列形態でよく、右端の支柱は、図１０の左右対称形にすればよく、中間の支柱は、図１０の左側のブランクの収納部２１にもフェンス部材Ｆを連結すればよい。また、図１０の保持材２０は、隣接する２面、または対向する２面、あるいは全４面に対してそれぞれ収納部２１を形成し、必要に応じてそれらを任意に使い分けてもよい。さらに、保持材２０は、図４（Ｂ）の形態の収納部２１としてもよく、図６に倣って、自立可能な円柱状としてもよい。
【００３０】
屋外用の照明器具は、保持材２０をスリムな断面長方形に形成して短辺方向の１面に蓋材３０を装着することにより（図１１（Ａ））、アルミニウムの押出形材の縦桟４１、４１…を等間隔に並設する化粧用フェンスにおいて縦桟４１、４１…に混在させて使用することができる（同図（Ｂ））。保持材２０、蓋材３０は、縦桟４１、４１…と基本的に同形、同大、同長、同色の外観に形成され、左右の支柱４３、４３を介して支持する上下の胴縁４２、４２の前面に全部を等ピッチに整列させて固定することにより、端正な外観を呈することができる。なお、保持材２０内には、発光体１０用の収納部２１が形成され、発光体１０からの光は、蓋材３０の開口窓３１ａ、３１ａ…から外部に透過することができる。
【００３１】
屋外用の照明器具は、保持材２０を偏平な断面長方形の長尺状に形成し、背面側を平坦にすることができる（図１２、図１３）。保持材２０は、図４（Ａ）の角柱状の保持材２０の収納部２１相当に形成されており、発光体１０や、蓋材３０の開口窓３１ａ、３１ａ…付きの蓋本体３１、透光性の硬質樹脂板３２も、図４（Ａ）に準じて構成されている。ただし、保持材２０は、図４（Ｂ）の収納部２１相当に形成してもよい。
【００３２】
図１２の照明器具は、たとえば片支持屋根のカーポート５１の支柱５１ａの前面に装着し（図１４（Ａ））、鋼板製の物置５２の庇下の無目５２ａに装着して使用することができる（同図（Ｂ））。すなわち、照明器具は、保持材２０の平坦な背面側を任意の建材の平坦面に固定して装着することができる。ただし、図１３の横断面形状は、単なる一例であって、背面側が平坦であり、または背面側に平坦面を有していて、他の建材の平坦面に装着することができ、収納部２１に収納する発光体１０からの光を前面側に投光することができる限り、他の任意の形状に変形することができる。
【００３３】
以上の説明において、発光体１０、保持材２０、蓋材３０に対する各変形形態は、任意に組合せ可能である。たとえば、図７（Ｅ）の蓋本体３１は、図１０、図１１、図１３にも適用することができる。
【産業上の利用可能性】
【００３４】
この発明は、単独の照明器具としてのみならず、各種の外構用の構築物の照明機能付きの構築材料として、広く好適に適用することができる。
【符号の説明】
【００３５】
Ｄ…ＬＥＤ素子
１０…発光体
１１…基板
１２…樹脂材料
２０…保持材
２１…収納部
３０…蓋材
３１…蓋本体
３２…硬質樹脂板
実用新案登録出願人      新栄金属株式会社
【図１】
0003190788.tif 000003
【図２】
0003190788.tif 000004
【図３】
0003190788.tif 000005
【図４】
0003190788.tif 000006
【図５】
0003190788.tif 000007
【図６】
0003190788.tif 000008
【図７】
0003190788.tif 000009
【図８】
0003190788.tif 000010
【図９】
0003190788.tif 000011
【図１０】
0003190788.tif 000012
【図１１】
0003190788.tif 000013
【図１２】
0003190788.tif 000014
【図１３】
0003190788.tif 000015
【図１４】
0003190788.tif 000016